(57)【要約】【課題】ねじ有効径にならないアール形状部が形成されることも強度低下を招くこともなく板厚以上の有効ねじ長のねじ孔を形成すること。【解決手段】まず、横断面形状が円形のパンチ工具３０、４０の先端部３２、４２を雌ねじ形成対象の板材Ｗの表面に押し付け、塑性変形によって窪みＡと当該窪みＡの周囲に初期板厚よりも厚い円環畝状の肉盛り部Ｂとを板材Ｗの表面に形成する。つぎに、肉盛り部Ｂにねじ下穴に相当する貫通孔Ｃを形成し、貫通孔Ｃに雌ねじ２４を形成する。【選択図】図４
2014200876.tif 000002
【特許請求の範囲】
【請求項１】
横断面形状が円形のパンチ工具の先端部を雌ねじ形成対象の板材の表面に押し付け、塑性変形によって窪みと当該窪みの周囲に初期板厚よりも厚い円環畝状の肉盛り部とを前記板材の表面に形成する第１の工程と、
前記肉盛り部にねじ下穴に相当する貫通孔を形成する第２の工程と、
前記貫通孔に雌ねじを形成する第３の工程と、
を有する板材の雌ねじ形成方法。
【請求項２】
前記パンチ工具が貫通する工具貫通孔を有し、前記工具貫通孔の前記板材の側の開口縁部にアール面あるいは面取り面を形成されたストリップ部材を前記板材の表面に当接させた状態で前記第１の工程を行い、前記肉盛り部の外周側に前記アール面あるいは前記面取り面を転写させる請求項１に記載の板材の雌ねじ形成方法。
【請求項３】
前記第１の工程は、前記板材の表裏両面に対して行う請求項１または２に記載の板材の雌ねじ形成方法。
【請求項４】
パンチ工具の先端部が球体の一部がなす形状あるいは切頭円錐形状である請求項１から３の何れか一項に記載の板材の雌ねじ形成方法。
【請求項５】
表裏両面に塑性加工による円環畝状の肉盛り部が形成され、前記肉盛り部にねじ孔が貫通形成されているねじ孔付き板材。
【請求項６】
前記肉盛り部の外周面がアール面あるいは面取り面である請求項５に記載のねじ孔付き板材。
【発明の詳細な説明】
【技術分野】
【０００１】
本発明は、板材の雌ねじ形成方法およびねじ孔付き板材に関する。
【背景技術】
【０００２】
板厚が１〜２ｍｍ程度の薄手の鋼板に、板厚以上の有効ねじ長のねじ孔（雌ねじ）を形成する方法として、バーリング加工によって鋼板に円筒部をプレス成形し、円筒部の内周面に雌ねじを形成するものや、鋼板に形成された下穴の外周縁に円環状の折返し部をプレス成形し、その内周面に雌ねじを形成するものや、前方押し出しによる塑性加工によって鋼板のねじ孔形成部分を厚肉化し、厚肉化部分に下穴を形成してその内周面に雌ねじを形成したものが知られている（例えば、特許文献１）。
【０００３】
物置の壁面を形成する壁パネル等のパネル同士を結合することに用いられるねじ部品として、中間部分をクランク状に曲折され、曲折の一方の側の片部にねじ孔を有する連結板（ねじ板）が知られている（例えば、特許文献２）。この連結板のねじ孔を上述の方法で形成することにより、板厚以上の有効ねじ長を有して十分なねじ山数によるねじ係合が行われるねじ孔付きの連結板を作成することが考えられている。
【０００４】
連結板によるパネル同士の結合は、結合すべきパネルの２枚重ね合わせ部分に形成されたスリット状の挿入孔に連結板の一方の片部を挿入して当該片部をパネルの裏面側に位置させ、２枚重ね合わせ部分に形成された貫通孔にパネルの表面側からボルトを挿入し、ボルトを連結板のねじ孔にねじ係合させることにより行われる。
【先行技術文献】
【特許文献】
【０００５】
【特許文献１】特開平９−７０６３８号公報
【特許文献２】実開昭５１−１２５１３７号公報
【発明の概要】
【発明が解決しようとする課題】
【０００６】
バーリング加工によるものは、円筒部の立ち上り根元部分の内周に最小でも板厚分のアール形状部ができ、必要なねじかかり代を有するねじ有効径（内径）による円筒部の有効軸長が短くなるので、その分、円筒部の軸長を長くする必要が生じる。円筒部の軸長が長く、円筒部の外周面が切り立っている連結板では、結合すべきパネルに設けられる貫通孔を大きくとる必要が生じると共に、連結板の一方の片部を貫通孔に挿入する際に円筒部が貫通孔の開口縁に引っかかり易くなり、パネル結合の作業性が悪くなる。
【０００７】
また、バーリング加工によるものは、材料が伸びることにより立ち上り先端部分が先細形状になる傾向があり、円筒部がねじ有効径による内径であっても強度を十分に取れないことがある。
【０００８】
折返しプレス加工によるものは、板厚の２倍の軸長の下穴を得ることできるが、下穴の開口端にアール形状部ができるので、ねじ有効径を有する部分の軸長（有効軸長）を十分に取ることが難しい。
【０００９】
前方押し出しによる塑性加工によって厚肉化したものは、厚肉化部に移動した材料分だけ厚肉化部の周囲の板厚が痩せ、厚肉化するほど厚肉化部周辺の強度が低下する。
【００１０】
本発明が解決しようとする課題は、ねじ有効径にならないアール形状部が形成されることも強度低下を招くこともなく板厚以上の有効ねじ長のねじ孔を形成することである。
【課題を解決するための手段】
【００１１】
本発明による板材の雌ねじ形成方法は、横断面形状が円形のパンチ工具（３０、４０）の先端部（３２、４２）を雌ねじ形成対象の板材（Ｗ）の表面に押し付け、塑性変形によって窪み（Ａ）と当該窪み（Ａ）の周囲に初期板厚よりも厚い円環畝状の肉盛り部（Ｂ）とを前記板材（Ｗ）の表面に形成する第１の工程と、前記肉盛り部（Ｂ）にねじ下穴に相当する貫通孔（Ｃ）を形成する第２の工程と、前記貫通孔（Ｃ）に雌ねじ（２４）を形成する第３の工程とを有する。
【００１２】
この雌ねじ形成方法によれば、窪み（Ａ）の塑性加工によって窪み（Ａ）の周囲に厚肉化部として円環畝状の肉盛り部（Ｂ）ができ、肉盛り部（Ｂ）への肉移動によって板厚が薄くなっている窪み（Ａ）にねじ下穴である貫通孔（Ｃ）を穿設することになるから、ねじ下穴形成による材料損失が少なく、肉盛り部（Ｂ）に移動した材料によって肉盛り部（Ｂ）の外周囲の板厚が痩せて肉盛り部（Ｂ）周辺の強度が低下する現象を生じることがない。そして、貫通孔（Ｃ）に雌ねじが形成されるので、ねじ有効径にならないアール形状部が形成されることや強度低下を招くことなく、肉盛り部（Ｂ）の高さ分、板厚以上の有効ねじ長のねじ孔（２４）が形成される。
【００１３】
本発明による板材の雌ねじ形成方法は、好ましくは、前記パンチ工具（３０、４０）が貫通する工具貫通孔（５２、６２）を有し、前記工具貫通孔（５２、６２）の前記板材（Ｗ）の側の開口縁部（５４、６４）にアール面あるいは面取り面を形成されたストリップ部材（５０、６０）を前記板材（Ｗ）の表面に当接させた状態で前記第１の工程を行い、前記肉盛り部（Ｂ）の外周側に前記アール面あるいは前記面取り面を転写させる。
【００１４】
この雌ねじ形成方法によれば、肉盛り部（Ｂ）の外周側がアール面あるいは面取り面になり、パネル結合用の連結板としての使用において、肉盛り部（２０、２２）を、パネル（１００、１１０）の挿入孔（１０２、１１２）に通す際に肉盛り部（２０、２２）が挿入孔（１０２、１１２）の周縁に引っかかり難くなる。
【００１５】
本発明による板材の雌ねじ形成方法は、好ましくは、前記第１の工程は、前記板材（Ｗ）の表裏両面に対して行う。
【００１６】
この雌ねじ形成方法によれば、板材（Ｗ）の表裏に肉盛り部（Ｂ）が形成されるので、肉盛り部（Ｂ）が片面だけである場合よりも有効ねじ長が長いねじ孔（２４）が形成される。
【００１７】
本発明による板材の雌ねじ形成方法は、好ましくは、パンチ工具（３０、４０）の先端部（３２、４２）が球体の一部がなす形状あるいは切頭円錐形状である。
【００１８】
この雌ねじ形成方法によれば、球体の一部がなす形状あるいは切頭円錐形状の窪み（Ａ）ができ、肉盛り部（Ｂ）への肉（材料）の移動が良好に行われる。
【００１９】
本発明によるねじ孔付き板材は、表裏両面に塑性加工による円環畝状の肉盛り部（２０、２２）が形成され、前記肉盛り部（２０、２２）にねじ孔（２４）が貫通形成されている。
【００２０】
このねじ孔付き板材によれば、板材（１０）の板厚以上の有効ねじ長のねじ孔（２４）が形成される。
【００２１】
本発明によるねじ孔付き板材は、好ましくは、前記肉盛り部（２０、２２）の外周面（２０Ａ、２２Ａ）がアール面あるいは面取り面である。
【００２２】
このねじ孔付き板材によれば、パネル結合用の連結板としての使用において、肉盛り部（２０、２２）を、パネル（１００、１１０）の挿入孔（１０２、１１２）に通す際に肉盛り部（２０、２２）が挿入孔（１０２、１１２）の周縁に引っかかり難くなる。
【発明の効果】
【００２３】
本発明による板材の雌ねじ形成方法によれば、ねじ有効径にならないアール形状部が形成されることも強度低下を招くこともなく、肉盛り部の高さ分、板厚以上の有効ねじ長のねじ孔が形成される。
【図面の簡単な説明】
【００２４】
【図１】本発明によるねじ孔付き板材をパネル結合用の連結板に適用した一つの実施形態を示す平面図。
【図２】図１の線II−IIに沿った断面図。
【図３】本実施形態による連結板の使用例を示す断面図。
【図４】本発明による雌ねじ形成方法を含むねじ孔付き板材の製造方法の一つの実施形態を示す説明図。
【図５】本発明による雌ねじ形成方法に用いられるパンチの他の実施形態を示す図。
【図６】本発明による雌ねじ形成方法に用いられるストリップ板の実施形態を示す図。
【図７】肉盛り部の他の形状例を拡大断面図。
【図８】本発明による雌ねじ形成方法を含むねじ孔付き板材の製造方法の他の実施形態を示す説明図。
【発明を実施するための形態】
【００２５】
図１、図２は、本発明によるねじ孔付き板材をパネル結合用の連結板に適用した一つの実施形態を示している。
【００２６】
連結板１０は、鋼板等の金属板により構成され、平面視形状が略矩形で、長手方向の中間部にクランク状に曲折されたクランク部１２をプレス加工によって形成されている。クランク部１２の一方の側には第１片部１４があり、他方の側には第２片部１６がある。
【００２７】
連結板１０のクランク部１２による第１片部１４と第２片部１６とは互いに略平行であり、第１片部１４と第２片部１６との段違い寸法は、結合すべき２枚のパネル１００と１１０（図３参照）との合計の板厚に等しいか、あるいは合計の板厚より少し大きい。第１片部１４は、パネル１００、１１０に形成されたスリット状の挿入孔１０２、１１２に挿入されてパネル１００、１１０の裏面側（図３で見て下側）に位置する片部である。第１片部１４の先端部１８は、第１片部１４が挿入孔１０２、１１２に挿入され易いように、略半円形状になっている。第２片部１６は、作業者の手によって握られる片部であり、平面視形状が矩形になっている。
【００２８】
第１片部１４には、表裏両面に塑性加工による円環畝状の肉盛り部２０と２２とが同一軸線上に形成されている。肉盛り部２０、２２の部分には、当該肉盛り部２０、２２の中心をねじ中心として第１片部１４を板厚方向に貫通したねじ孔２４が形成されている。ねじ孔２４のねじ径（谷径）は肉盛り部２０、２２の最大高さ位置がなす稜線による円形の直径に略等しいことが好ましい。より好ましくは、ねじ孔２４のねじ径は肉盛り部２０、２２の最大高さ位置がなす稜線による円形の直径に等しい。このことにより、ねじ孔２４の有効軸長Ｌは、第１片部１４の板厚Ｔと２個の肉盛り部２０、２２の肉盛り最大高さＨ１、Ｈ２との合計値になり、肉盛り部２０と２２との合計の肉盛り最大高さ（Ｈ１＋Ｈ２）分、第１片部１４の板厚Ｔより長くなる。
【００２９】
このように、ねじ孔２４の有効軸長Ｌが第１片部１４の表裏両面に形成された肉盛り部２０と２２との双方によって長くなることにより、第１片部１４に有効ねじ長が第１片部１４の板厚Ｔより十分に長いねじ孔２４が形成されることになる。
【００３０】
本実施形態による連結板１０のもう一つの特徴は、肉盛り部２０と２２との双方の外周面の形状、換言すると、断面形状が略１／４円弧によるアール形状になっていることである。つまり、肉盛り部２０、２２の外周面がアール面２０Ａ、２２Ａになっている。
【００３１】
パネル１００、１１０は、鋼板製の壁パネル等であり、図３に示されているように、結合状態の配置で互いの重り合う部分に、互いに配置位置が合致する挿入孔１０２、１１２と、ボルト通し孔１０４、１１４とを形成されている。
【００３２】
連結板１０を用いてパネル１００と１１０とを結合する作業は、まず、図３に仮想線によって示されているように、第１片部１４の先端部１８を前側にして連結板１０をパネル１００、１１０の板面に対して傾斜させた姿勢で、第１片部１４を挿入孔１０２、１１２に挿入する。第１片部１４がパネル１１０の裏面（図３で見て下面）側に位置し、クランク部１２が挿入孔１０２、１１２に位置するまで挿入されれば、第１片部１４がパネル１００、１１０と略平行になる。この状態では、ねじ孔２４がボルト通し孔１０４、１１４と略同心の位置に位置する。
【００３３】
パネル１００の表面の側から平座金１２２を付けた六角頭付きのボルト１２０を、ボルト通し孔１０４、１１４に順に挿入し、ねじ孔２４にねじ係合させる。このボルト１２０の締結により、パネル１００と１１０が、平座金１２２を介してボルト１２０の頭部と第１片部１４とによって挟まれて結合される。連結板１０は、ねじ孔２４の有効ねじ長が長いことにより、ねじ孔２４とボルト１２０とのねじ係合山数が多くなり、ボルト１２０の締結が、電動工具等によって過剰気味の締付トルクによって行われても、ねじ山が破損することがなく、締結不良を生じることがない。
【００３４】
なお、パネル１００のボルト通し孔１０４の大きさはボルト１２０のねじ軸部が通過できる大きさであるが、パネル１１０のボルト通し孔１１４の大きさは肉盛り部２０が入り込む大きさになっている。
【００３５】
本実施形態の連結板１０は、肉盛り部２０、２２の横断面形状が略１／４円弧によるアール形状になっていて肉盛り部２０、２２の外周面が第１片部１４の板面に対して垂直に切り立った面でなく、アール面２０Ａ、２２Ａになっているので、図３に仮想線によって示されているように、肉盛り部２０、２２はアール面２０Ａ、２２Ａに案内されて挿入孔１０２、１１２の縁部に乗り上がるようにして円滑に通過する。
【００３６】
これにより、肉盛り部２０、２２の根元部分が挿入孔１０２、１１２の縁部に引っかかることなく、肉盛り部２０、２２を、容易に挿入孔１０２、１１２を通過させることができ、連結板１０を用いたパネル１００と１１０との結合作業が作業性よく迅速に行われ得るようになる。
【００３７】
この効果は、肉盛り部２０、２２の外周面が凸形のアール面２０Ａ、２２Ａに代えて、凹形のアール面であっても、肉盛り部２０、２２の断面形状が直角三角形状で、肉盛り部２０、２２の外周面が直線的な傾斜面であっても同様に得られるから、肉盛り部２０、２２の外周面は、凹形のアール面であっても、直線的な傾斜面であってもよい。
【００３８】
つぎに、図４（Ａ）〜（Ｆ）を参照して本発明による雌ねじ形成方法を含むねじ孔（２４）付き板材（連結板１０）の製造方法について説明する。
【００３９】
まず、図４（Ａ）に示されているように、鉛直な同一軸線Ｘ上に上下に配置された上部パンチ３０と下部パンチ４０との間、およびこれらパンチ３０、４０が貫通可能に嵌合した工具貫通孔５２、６２を有する水平配置の平板状の上部ストリップ板５０と下部ストリップ板６０との間に、所定長さを有する矩形の鋼板よりなる雌ねじ形成対象の平板素材（板材）Ｗを水平に配置する。
【００４０】
上部パンチ３０、下部パンチ４０は、平板素材Ｗに形成するねじ孔（２４）の谷径より少し大きい外径による円柱形状（中心軸線に直交する横断面形状が円形）で、平板素材Ｗを挟んで上下に互いに対向する先端部３２、４２が、凸球面の一部をなす互いに同一の凸形状をしている。上部ストリップ板５０、下部ストリップ板６０の工具貫通孔５２、６２の内径は、上部パンチ３０、下部パンチ４０の外径に等しいか、或いはこれにより僅かに大きい内径で、工具貫通孔５２、６２を挟んで上下に対向する側、つまり、平板素材Ｗの側の開口縁部５４、６４は、横断面形状が略１／４円弧による凹形のアール形状に拡径され、凹形のアール面になっている。
【００４１】
つぎに、第１工程として、図４（Ｂ）に示されているように、上部ストリップ板５０を降下させて上部ストリップ板５０を平板素材Ｗの上面に当接させ、下部ストリップ板６０を上昇させて下部ストリップ板６０を平板素材Ｗの下面に当接させ、両ストリップ板５０、６０によって平板素材Ｗを上下より挟み込む。その後、上部パンチ３０を降下させ、下部パンチ４０を上昇させ、上下同一のプレス圧をもって上部パンチ３０の先端部３２を平板素材Ｗの上面に押し付けると同時に下部パンチ４０の先端部４２を平板素材Ｗの下面に押し付ける。
【００４２】
この上部パンチ３０、下部パンチ４０の押し付けによって平板素材Ｗに、潰しによる塑性変形、つまり肉（材料）の移動が生じ、上部パンチ３０、下部パンチ４０の先端部３２、４２の形状を転写するように平板素材Ｗの上面と下面とに各々平面形状が円形の互いに同心の球面状の窪みＡが形成されると同時に、平板素材Ｗの上面の窪みＡおよび下面の窪みＡの各々の周囲に窪みＡと同心で平板素材Ｗの初期板厚よりも厚い円環畝状の肉盛り部Ｂが形成される。本実施形態では、上部パンチ３０、下部パンチ４０の先端部３２、４２が球面状であるので、先端部３２、４２の全体が軸線方向に直交する平面によるものである場合よりも上部パンチ３０、下部パンチ４０の外周側にできる肉盛り部Ｂへの肉の移動が低いプレス圧でも良好に行われる。
【００４３】
窪みＡと肉盛り部Ｂとは塑性変形によって同時に形成されるものであるから、肉盛り部Ｂの体積は窪みＡによる平板素材Ｗの肉減少分の体積に等しい。肉盛り部Ｂの最大高さ位置がなす稜線による円形の直径は、ここに形成すべきねじ孔２４の谷径に略等しいことが、有効ねじ長が長いねじ孔２４を形成する上で最適である。
【００４４】
窪みＡおよび肉盛り部Ｂの塑性加工は、上部パンチ３０、下部パンチ４０と上部ストリップ板５０、下部ストリップ板６０とで、型鍛造のように行われる。これにより、上部パンチ３０、下部パンチ４０の先端部３２、４２の形状を転写した窪みＡが平板素材Ｗの上面と下面とに形成されると共に、上部ストリップ板５０、下部ストリップ板６０の工具貫通孔５２、６２の開口縁部５４、６４の形状を外周側に転写した肉盛り部Ｂが平板素材Ｗの上面と下面とに形成される。つまり、肉盛り部Ｂの外周側の形状は、工具貫通孔５２、６２の開口縁部５４、６４の形状によって設定され、本実施形態では肉盛り部Ｂの外周面は凸形のアール面になる。
【００４５】
つぎに、第２工程として、図４（Ｃ）に示されているように、打ち抜きダイ７０上に窪みＡおよび肉盛り部Ｂを形成された平板素材Ｗを載置し、打ち抜きパンチ７２によって肉盛り部Ｂの径方向内方（中心側）に、つまり窪みＡに肉盛り部Ｂと同心のねじ下穴に相当する横断面形状が円形の貫通孔Ｃ（図４（Ｄ）参照）を打ち抜きプレスによって形成する。貫通孔Ｃの内径は、平板素材Ｗに形成するねじ孔（２４）の内径（ねじ径）に等しいか、或いはねじ孔（２４）の内径（ねじ径）より少し小さい内径である。
【００４６】
なお、打ち抜きダイ７０に形成されているパンチ進入孔７０Ａの上部開口端周りには、打ち抜きプレスによって下側の肉盛り部Ｂが壊れないよう、肉盛り部Ｂを受け入れる肉盛り部Ｂの補形をなす窪み７０Ｂが形成されている。なお、貫通孔Ｃは打ち抜きプレスによらずにドリル工具による切削によって形成することもできる。
【００４７】
つぎに、図４（Ｄ）に示されているように、曲げプレス加工によって平板素材Ｗにクランク部１２を曲折形成する。これにより、貫通孔Ｃを有する第１片部１４と第２片部１６とが形成される。
【００４８】
つぎに、図４（Ｅ）に示されているように、タッピング工具（タップ）８０を用いて貫通孔Ｃに雌ねじを切削によって形成し、図４（Ｆ）に示されているように、ねじ孔２４を形成する。これにより、連結板１０が完成する。なお、ねじ孔２４のねじ形成は、切削によらずに転造によって行われてもよい。
【００４９】
この実施形態による雌ねじ形成方法によれば、窪みＡの塑性加工によって窪みＡの周囲に厚肉化部として円環畝状の肉盛り部Ｂができ、肉盛り部Ｂへの肉移動によって板厚が薄くなっている窪みＡにねじ下穴（貫通孔Ｃ）を穿設しているから、ねじ下穴形成による材料損失が少ない。また、この雌ねじ形成方法では、肉盛り部（厚肉化部）Ｂに移動した材料によって肉盛り部Ｂの外周囲の板厚が痩せて肉盛り部Ｂ周辺の強度が低下する現象を生じることがない。
【００５０】
そして、貫通孔Ｃの内周面に雌ねじを刻んでいるから、肉盛り部Ｂの高さ部寸法分、平板素材Ｗの初期板厚より長い軸長のねじ孔２４が形成されることになる。貫通孔Ｃは、打ち抜きプレスやドリル切削により形成されるものであるから、貫通孔Ｃの開口端にアール形状部ができることがなく、ねじ孔２４を形成する有効軸長（有効ねじ長）を、アール形状部によって短縮されることなく長く設定することができる。
【００５１】
このようにして、ねじ有効径にならないアール形状部が形成されることも強度低下を招くこともなく、肉盛り部Ｂの高さ分、板厚以上の有効ねじ長のねじ孔２４を形成されたねじ孔付き板材（連結板１０）を、生産性よく製造することができる。
【００５２】
肉盛り部Ｂの外周側の形状は、上部ストリップ板５０、下部ストリップ板６０の工具貫通孔５２、６２の開口縁部５４、６４の形状によって設定されるから、本実施形態では、肉盛り部Ｂの外周面は凸形のアール面になっている。このことは、連結板１０としての使用において、肉盛り部２０、２２をパネル１００、１１０の挿入孔１０２、１１２に通す際に、肉盛り部２０、２２が挿入孔１０２、１１２の周縁に引っかかり難くなる効果を生じることになる。
【００５３】
窪みＡの塑性加工するためのパンチ３０、４０の先端形状は、球面状に限られることなく、先が尖った円錐形や、図５（Ａ）に示されているように、先端外周に１／４円弧のアール面３４を有するもの、図５（Ｂ）に示されているように、先端外周に４５度傾斜の面取り面３６を有するもの、図５（Ｃ）に示されているように、先端外周に１／４円弧のアール面３４を有し、更に先端中央に円錐形等の凹部３８を有するもの、図５（Ｄ）に示されているように、先端外周に４５度傾斜の面取り面３６を有し、更に先端中央に円錐形等の凹部３８を有するものであってもよい。凹部３８を有するものは、塑性変形によって凹部３８に肉が入り込むことにより、凹部３８の大きさによって肉盛り部Ｂへの肉移動量を微調整することができる。また、凹部３８に肉が入り込むことにより、加圧時のパンチ３０、４０の心ぶれを回避する効果も得られる。
【００５４】
上部ストリップ板５０、下部ストリップ板６０の工具貫通孔５２、６２の開口縁部５４、６４の形状は、図６（Ａ）に示されているように、凹形のアール形状に限られることなく、図６（Ｂ）に示されているように、凸形のアール形状であっても、図６（Ｃ）に示されているように、４５度傾斜の面取り形状であってもよい。更に、工具貫通孔５２、６２の開口縁部５４、６４の形状は、図６（Ｄ）に示されているように、凹形のアール形状と直線部との組み合わせであってもよい。この場合には、直線部によって肉盛り部Ｂの形状は径方向に幅を有する平らな頂部を有するものになり、肉盛り部Ｂの最大高さ部分にねじ孔２４を形成し易くなる。
【００５５】
肉盛り部Ｂの形状は、平板素材Ｗの上面と下面とで上下反転の対称形状（同一形状）であることに限られることはなく、肉盛り部Ｂは、図７に示されているように、平板素材Ｗの上面と下面とで、異なった大きさ、異なった肉盛り高さであってもよい。
【００５６】
肉盛り部Ｂは、平板素材Ｗの上面と下面との片面にのみ形成されてもよい。この場合の形成方法を、図８を参照して説明する。なお、図８において、図４に対応する部分は、図４に付した符号と同一の符号を付けて説明する。
【００５７】
まず、図８（Ａ）に示されているように、定盤９０の平らな上面９２上に所定長さを有する矩形の鋼板よりなる雌ねじ形成対象の平板素材（板材）Ｗを水平に配置する。
【００５８】
つぎに、第１工程として、図８（Ｂ）に示されているように、上部ストリップ板５０を降下させて上部ストリップ板５０を平板素材Ｗの上面に当接させ、上部ストリップ板５０によって平板素材Ｗを定盤９０上に固定する。その後、上部パンチ３０を降下させ、所定のプレス圧をもって上部パンチ３０の先端部３２を平板素材Ｗの上面に押し付ける。
【００５９】
この上部パンチ３０の押し付けによって平板素材Ｗに、潰しによる塑性変形、つまり肉（材料）の移動が生じ、上部パンチ３０の先端部３２の形状を転写するように平板素材Ｗの上面に球面状の窪みＡが形成されると同時に、平板素材Ｗの上面の窪みＡの周囲に窪みＡと同心で平板素材Ｗの初期板厚よりも厚い円環畝状の肉盛り部Ｂが形成される。この実施形態でも、窪みＡと肉盛り部Ｂとは塑性変形によって同時に形成されるものであるから、肉盛り部Ｂの体積は窪みＡによる平板素材Ｗの肉減少分の体積に等しい。
【００６０】
窪みＡおよび肉盛り部Ｂの塑性加工は、上部パンチ３０と上部ストリップ板５０とで、型鍛造のように行われる。これにより、上部パンチ３０の先端部３２の形状を転写した窪みＡが平板素材Ｗの上面に形成されると共に、上部ストリップ板５０の工具貫通孔５２の開口縁部５４の形状を外周側に転写した肉盛り部Ｂが平板素材Ｗの上面に形成される。つまり、肉盛り部Ｂの外周側の形状は、工具貫通孔５２の開口縁部５４の形状によって設定され、本実施形態でも肉盛り部Ｂの外周面は凸形のアール面になる。
【００６１】
つぎに、第２工程として、図８（Ｃ）に示されているように、打ち抜きダイ７０上に窪みＡおよび肉盛り部Ｂを形成された平板素材Ｗを載置し、打ち抜きパンチ７２によって肉盛り部Ｂの径方向内方に、つまり窪みＡに肉盛り部Ｂと同心のねじ下穴に相当する円形横断面形状の貫通孔Ｃ（図８（Ｄ）参照）を打ち抜きプレスによって形成する。貫通孔Ｃの内径は、平板素材Ｗに形成するねじ孔（２４）の内径（ねじ径）に等しいか、或いはねじ孔（２４）の内径（ねじ径）より少し小さい内径である。なお、この実施形態では、打ち抜きダイ７０のパンチ進入孔７０Ａの上部開口端周りに窪み７０Ｂを形成する必要はない。
【００６２】
つぎに、図８（Ｄ）に示されているように、平板素材Ｗに曲げプレス加工によってクランク部１２を曲折形成する。これにより、貫通孔Ｃを有する第１片部１４と第２片部１６とが形成される。
【００６３】
つぎに、図８（Ｅ）に示されているように、タッピング工具（タップ）８０を用いて貫通孔Ｃに雌ねじを切削によって製造し、図８（Ｆ）に示されているように、ねじ孔２４を形成する。これにより、連結板１０が完成する。
【００６４】
この実施形態による雌ねじ形成方法でも、窪みＡの塑性加工によって窪みＡの周囲に厚肉化部として円環畝状の肉盛り部Ｂができ、肉盛り部Ｂへの肉移動によって板厚が薄くなっている窪みＡにねじ下穴（貫通孔Ｃ）を穿設しているから、ねじ下穴形成による材料損失が少ない。また、この雌ねじ形成方法でも、肉盛り部（厚肉化部）Ｂに移動した材料によって肉盛り部Ｂの外周囲の板厚が痩せて肉盛り部Ｂ周辺の強度が低下する現象を生じることがない。
【００６５】
そして、貫通孔Ｃの内周面に雌ねじを刻んでいるから、肉盛り部Ｂの高さ部寸法分、平板素材Ｗの初期板厚より長い軸長のねじ孔２４が形成されることになる。貫通孔Ｃは、打ち抜きプレスやドリル切削により形成されるものであるから、貫通孔Ｃの開口端にアール形状部ができることがなく、ねじ孔２４を形成する有効軸長を、アール形状部によって短縮されることなく長く設定することができる。
【００６６】
このようにして、本実施形態でも、ねじ有効径にならないアール形状部が形成されることも強度低下を招くこともなく、板厚以上の有効ねじ長のねじ孔２４を形成されたねじ孔付き板材（連結板１０）を、生産性よく製造することができる。
【００６７】
以上で具体的実施形態の説明を終えるが、本発明の態様は上記実施形態に限られるものではなく、本発明の趣旨を逸脱しない範囲であれば適宜変更可能である。また、上記実施形態に示した構成要素は必ずしも全てが必須なものではなく、本発明の趣旨を逸脱しない限りにおいて適宜取捨選択することが可能である。
【符号の説明】
【００６８】
１０    連結板
１２    クランク部
１４    第１片部
１６    第２片部
２０    肉盛り部
２２    肉盛り部
２４    ねじ孔
３０    上部パンチ（パンチ工具）
３２    先端部
４０    下部パンチ（パンチ工具）
４２    先端部
５０    上部ストリップ板（ストリップ部材）
５２    工具貫通孔
５４    開口縁部
６０    下部ストリップ板（ストリップ部材）
６２    工具貫通孔
６４    開口縁部
９０    定盤
Ａ    窪み部
Ｂ    肉盛り部
Ｃ    貫通孔
【図１】
2014200876.tif 000003
【図２】
2014200876.tif 000004
【図３】
2014200876.tif 000005
【図４】
2014200876.tif 000006
【図５】
2014200876.tif 000007
【図６】
2014200876.tif 000008
【図７】
2014200876.tif 000009
【図８】
2014200876.tif 000010